(57)【要約】  進化型マルチメディア・ブロードキャスト・マルチキャスト・サービス（ｅ−ＭＢＭＳ）システムにおいて、それぞれ異なるクオリティ・オブ・サービス・クラス識別子（ＱＣＩ）を有するサービスの統計多重化を実行するための方法であって、進化型ブロードキャスト・マルチキャスト・サービス・センタ（ｅＢＭ−ＳＣ）において、ｅ−ＭＢＭＳサービスのための統計多重化バンドルおよび統計多重化バンドルの情報を判定するステップを備え、統計多重化バンドルがそれぞれ異なるＱＣＩを有する複数のサービスを備え、同じＱＣＩを有するサービスが統計多重化バンドルにおいて統計多重化サブバンドルを構成し、統計多重化バンドルの情報が、各統計多重化サブバンドルのＱＣＩ、サービス・リストおよび集合バンドル・ビット・レート（ＡＢＢＲ）、ならびに統計多重化バンドルのＡＢＢＲを備え、ＭＢＭＳ協働エンティティ（ＭＣＥ）において、ｅＢＭ−ＳＣによって判定された統計多重化バンドルの情報に基づいて、および予め決められた基準によってＡＢＢＲバンドルを判定するステップと、同じＡＢＢＲバンドルに属する複数のサービスがそのＡＢＢＲバンドルに割り当てられた資源を共用するようにＡＢＢＲバンドルのサービスのための統計多重化スケジューリングを実行するステップとを備える方法。本方法は、さらなる利得を取得することができる、すなわち、資源の消費をさらに低減する。
2013502099.tif 000002
【特許請求の範囲】
【請求項１】
進化型マルチメディア・ブロードキャスト・マルチキャスト・サービスｅ−ＭＢＭＳシステムにおいてそれぞれ異なるクオリティ・オブ・サービス・クラス識別子（ＱＣＩ）を有するサービスの統計多重化を実行するための方法であって、
進化型ブロードキャスト・マルチキャスト・サービス・センタｅＢＭ−ＳＣにおいて、ｅ−ＭＢＭＳサービスのための統計多重化バンドルおよび前記統計多重化バンドルの情報を判定するステップを備え、前記統計多重化バンドルがそれぞれ異なるＱＣＩを有する複数のサービスを備え、同じＱＣＩを有するサービスが前記統計多重化バンドルにおいて統計多重化サブバンドルを構成し、前記統計多重化バンドルの前記情報が、各統計多重化サブバンドルのＱＣＩ、サービス・リストおよび集合バンドル・ビット・レートＡＢＢＲ、ならびに前記統計多重化バンドルのＡＢＢＲを備え、
ＭＢＭＳ協働エンティティＭＣＥにおいて、ｅＢＭ−ＳＣによって判定された前記統計多重化バンドルの前記情報に基づいて、および予め決められた基準によってＡＢＢＲバンドルを判定するステップと、前記同じＡＢＢＲバンドルに属する複数のサービスが前記ＡＢＢＲバンドルに割り当てられた資源を共用するように前記ＡＢＢＲバンドルの前記サービスのための統計多重化スケジューリングを実行するステップと
を備える方法。
【請求項２】
前記ｅＢＭ−ＳＣが、以下の条件、すなわちサービスがビット・エラー・レートに関して同じ要件を有すること、によって前記統計多重化バンドルを判定する、請求項１に記載の方法。
【請求項３】
前記ＭＣＥが、以下の基準、すなわち、
１）サービスが同じ優先レベルを有すること、および／または、
２）サービスが遅延に関して同じ要件を有すること、
によって前記ＡＢＢＲバンドルを判定する、請求項１に記載の方法。
【請求項４】
前記ｅＢＭ−ＳＣが、セッション開始メッセージによってゲートウェイを介して前記ＭＣＥに前記統計多重化バンドルの前記情報を送信する、請求項１に記載の方法。
【請求項５】
前記ｅＢＭ−ＳＣが、既存の統計多重化バンドルに新しいサービスを追加し、かつ／または完了したサービスを前記既存の統計多重化バンドルから除去するように構成可能である、請求項１に記載の方法。
【請求項６】
サービスが追加または除去された場合、前記ｅＢＭ−ＳＣにおいて、前記統計多重化バンドルの前記情報が再判定され、前記ＭＣＥに送信され、前記ＭＣＥにおいて、前記ＡＢＢＲバンドルが再判定される、請求項５に記載の方法。
【請求項７】
前記ｅＢＭ−ＳＣがセッション開始メッセージ／セッション停止メッセージによって前記ＭＣＥにサービスの追加／除去を通知する、請求項６に記載の方法。
【請求項８】
前記ｅＢＭ−ＳＣが、セッション更新メッセージによって前記ＭＣＥに前記統計多重化バンドルの前記再判定された情報を送信する、請求項７に記載の方法。
【請求項９】
進化型マルチメディア・ブロードキャスト・マルチキャスト・サービスｅ−ＭＢＭＳシステムであって、
ｅ−ＭＢＭＳサービスのための統計多重化バンドルおよび統計多重化バンドルの情報を判定するように構成された進化型ブロードキャスト・マルチキャスト・サービス・センタｅＢＭ−ＳＣを備え、前記統計多重化バンドルがそれぞれ異なるＱＣＩを有する複数のサービスを備え、同じＱＣＩを有するサービスが前記統計多重化バンドルにおいて統計多重化サブバンドルを構成し、前記統計多重化バンドルの前記情報が各統計多重化サブバンドルのＱＣＩ、サービス・リストおよび集合バンドル・ビット・レートＡＢＢＲ、ならびに前記統計多重化バンドルのＡＢＢＲを備え、さらに、
前記ｅＢＭ−ＳＣによって判定された前記統計多重化バンドルの前記情報に基づいて、および予め決められた基準によってＡＢＢＲバンドルを判定し、同じＡＢＢＲバンドルに属する複数のサービスが前記ＡＢＢＲバンドルに割り当てられた資源を共用するように前記ＡＢＢＲバンドルの前記サービスのための統計多重化スケジューリングを実行するように構成されたＭＢＭＳ協働エンティティＭＣＥ
を備える進化型マルチメディア・ブロードキャスト・マルチキャスト・サービスｅ−ＭＢＭＳシステム。
【請求項１０】
前記ｅＢＭ−ＳＣが、
前記ｅ−ＭＢＭＳサービスの統計パラメータを取得するように構成されたパラメータ取得手段と、
前記パラメータ取得手段によって取得された前記統計パラメータによって統計多重化バンドルおよび前記統計多重化バンドルの情報を判定するように構成された統計多重化バンドルおよび前記統計多重化バンドルの情報判定手段と
を備える、請求項９に記載のｅ−ＭＢＭＳシステム。
【請求項１１】
前記ｅＢＭ−ＳＣが
サービスのためのアプリケーション・エンコーダ間のレートの制御調整を実行するように構成されたエンコーダ調整手段
をさらに備える、請求項１０に記載のｅ−ＭＢＭＳシステム。
【請求項１２】
前記ＭＣＥが、
統計多重化サブバンドルの前記ＱＣＩ、前記サービス・リストおよび前記集合バンドル・ビット・レートＡＢＢＲ、ならびに前記統計多重化バンドルの前記ＡＢＢＲを抽出するように構成されたパラメータ抽出手段と、
前記パラメータ抽出手段によって抽出された前記パラメータに基づいて、および前記予め決められた基準によってＡＢＢＲバンドルを判定し、前記同じＡＢＢＲバンドルに属する複数のサービスが前記ＡＢＢＲバンドルに割り当てられた前記資源を共用するように前記ＡＢＢＲバンドルの前記サービスのための統計多重化スケジューリングを実行するように構成されたＡＢＢＲバンドル多重化手段と
を備える、請求項９に記載のｅ−ＭＢＭＳシステム。
【請求項１３】
前記ｅＢＭ−ＳＣが以下の条件、すなわちサービスがビット・エラー・レートに関して同じ要件を有すること、によって前記統計多重化バンドルを判定する、請求項９に記載のｅ−ＭＢＭＳシステム。
【請求項１４】
前記ＭＣＥが、以下の基準、すなわち、
１）サービスが同じ優先レベルを有すること、および／または、
２）サービスが遅延に関して同じ要件を有すること、
によって前記ＡＢＢＲバンドルを判定する、請求項９に記載のｅ−ＭＢＭＳシステム。
【請求項１５】
前記ｅＢＭ−ＳＣが、セッション開始メッセージによってゲートウェイを介して前記ＭＣＥに前記統計多重化バンドルの前記情報を送信し、
前記ｅＢＭ−ＳＣが、セッション開始メッセージ／セッション停止メッセージによって前記ＭＣＥにサービスの追加／除去を通知し、かつ／または
前記ｅＢＭ−ＳＣがセッション更新メッセージによってＭＣＥに前記統計多重化バンドルの前記再判定された情報を送信する、
請求項９に記載のｅ−ＭＢＭＳシステム。
【発明の詳細な説明】
【技術分野】
【０００１】
本発明は、マルチキャスト・ブロードキャスト・サービスに関し、より具体的には、それぞれ異なるクオリティ・オブ・サービス・クラス識別子（ＱＣＩ）を有するサービスの統計多重化を実行するための進化型マルチメディア・ブロードキャスト・マルチキャスト・サービス（ｅ−ＭＢＭＳ）システムおよび方法に関する。
【背景技術】
【０００２】
現在、モバイル技術の急速な発展に伴って、多数のマルチメディア・サービスが登場している。ビデオ・オン・デマンド、テレビ放送、ビデオ会議、モバイルＴＶなど、いくつかのアプリケーション・サービスでは、複数のユーザが同じデータを同時に受信することができる。モバイル・ネットワーク資源を効率よく利用するために、ＷＣＤＭＡ／ＧＳＭの世界標準化団体である３ＧＰＰは、マルチメディア・ブロードキャスト・マルチキャスト・サービス（ＭＢＭＳ）／進化型マルチメディア・ブロードキャスト・マルチキャスト・サービス（ｅ−ＭＢＭＳ）を提唱している。ＭＢＭＳ／ｅ−ＭＢＭＳは、ネットワーク資源を共用するためにデータが単一のデータ・ソースから複数のユーザに送信されるポイント・ツー・マルチポイント・サービスを指す。３ＧＰＰによって定義されたＭＢＭＳ／ｅ−ＭＢＭＳは、平文、低レートのメッセージのマルチキャストおよびブロードキャストだけでなく、高レートのマルチメディア・サービスのマルチキャストおよびブロードキャストをも可能にし、これは確かに将来のモバイルデータの開発トレンドに合致している。
【０００３】
さらに、統計多重化技術は、マルチストリーム伝送システムにおいて広く使用されている。パラレル・ストリームを多重化することによって、かなりの多重化利得が生じる。多重化利得は、サービスの統計によって達成される、すなわち、ストリームの１つがより多くの帯域幅を必要とする時は、いくつかの他のストリームは、統計的に低ビット・レート状態になる。利得は物理層フィードバックなどの他の特徴ではなくアプリケーション統計の特徴を利用することにより達成されるので、統計多重化はブロードキャスティング・システムに適用可能である。多重化利得はかなり大きく、例えば、ＤＶＢ−Ｈでは３０％〜４０％の利得が達成され得ることが分かっている。
【０００４】
したがって、資源利用のより高い効率を達成するためには、ＭＢＭＳ／ｅ−ＭＢＭＳシステムにおいて統計多重化を実行することが必要である。
【０００５】
同じクオリティ・オブ・サービス・クラス識別子（ＱＣＩ）を有するサービスの統計多重化を実行する基本概念が提案されてきた。
【０００６】
図１は、同じＱＣＩを有するサービスの統計多重化を実行するための既存の進化型マルチメディア・ブロードキャスト・マルチキャスト・サービス（ｅ−ＭＢＭＳ）システムの概略図を例示する。
【０００７】
ＱＣＩは、サービスのクオリティ・オブ・サービス・レベルを達成することにより必要とされるビット・レート、ビット・エラー・レート、遅延に関する要件、および優先レベルなどのパラメータを備える。
【０００８】
進化型ブロードキャスト・マルチキャスト・サービス・センタ（ｅＢＭ−ＳＣ）は、ＭＢＭＳサービスの提供および管理を達成する。コンテンツ・プロバイダでは、ＢＭ−ＳＣはＭＢＭＳサービス・コンテンツの入口である。ベアラ・ネットワークでは、ｅＢＭ−ＳＣは、ｅ−ＭＢＭＳサービスを認可し開始すること／およびｅ−ＭＢＭＳサービス・コンテンツをスケジューリングし送信することを担当する。
【０００９】
図１に示されているように、ｅＢＭ−ＳＣは、最初に、同じＱＣＩを有するサービスの統計パラメータを取得し、統計多重化バンドルおよび統計多重化バンドルの情報を判定し、統計多重化バンドルの情報は、例えば、一時的モバイル・グループ識別（ＴＭＧＩ）、統計多重化バンドルによって要求されるＱＣＩ、および統計多重化バンドルの集合バンドル・ビット・レート（ＡＢＢＲ）のリストによって表される、バンドル内のサービスのリストを含んでよい。次いで、ｅＢＭ−ＳＣは、エンコーダにＡＢＢＲを通知し、その結果、エンコーダは集合バンドル内の複数のサービスのジョイント・エンコーディングを実行することができ、複数のサービスのデータ・ストリームの総符号化率は一定のままであることができ、これらのサービスは総符号化率を合理的に共用することができる。ｅＢＭ−ＳＣは、ゲートウェイを介しＭＢＭＳ協働エンティティ（ＭＣＥ）に統計多重化バンドルの情報を送信し、その結果、ＭＣＥは、資源割当てを実行することができる。割り当てられた資源上で、ｅＮｏｄｅＢは、ＭＡＣ多重化によって、同じ伝送ブロック（ＴＢ）にＩＰパケットを多重化して、同じマルチキャストチャネル（ＭＣＨ）にサービスを多重化する。
【００１０】
図２は、同じＱＣＩを有するサービスの統計多重化を実行するための既存の方法の概略図を例示する。
【００１１】
サービス・ストリーム１（ＱＣＩ１）、サービス・ストリーム２（ＱＣＩ１）、サービス・ストリーム３（ＱＣＩ２）、サービス・ストリーム４（ＱＣＩ３）およびサービス・ストリーム５（ＱＣＩ４）を含む場合では、ｅＢＭ−ＳＣは、最初に、統計多重化バンドル１｛サービス・ストリーム１（ＱＣＩ１）、サービス・ストリーム２（ＱＣＩ１）｝、統計多重化バンドル２｛サービス・ストリーム３（ＱＣＩ２）｝、統計多重化バンドル３｛サービス・ストリーム４（ＱＣＩ３）｝および統計多重化バンドル４｛サービス・ストリーム５（ＱＣＩ４）｝ならびにそれらのそれぞれのＡＢＢＲバンドル（統計多重化バンドルのＡＢＢＲ）を判定し、エンコーディングを実行するためにエンコーダを制御する。統計多重化バンドル１｛サービス・ストリーム１（ＱＣＩ１）、サービス・ストリーム２（ＱＣＩ１）｝、統計多重化バンドル２｛サービス・ストリーム３（ＱＣＩ２）｝、統計多重化バンドル３｛サービス・ストリーム４（ＱＣＩ３）｝および統計多重化バンドル４｛サービス・ストリーム５（ＱＣＩ４）｝ならびにｅＢＭ−ＳＣによって判定されたそれらのそれぞれのＡＢＢＲバンドルに基づいて、ＭＣＥは、資源割当てを実行し、それぞれ異なるバンドルのサービスをそれぞれ別のＭＣＨに割り当てる。
【００１２】
本方法によって利用されるシグナリング構造は以下の通りである。
セッション開始｛
バンドルＩＤリスト｛
ＡＢＢＲバンドル｛
ＴＭＧＩリスト
｝
｝
｝
セッション更新｛
バンドルＩＤリスト｛
ＡＢＢＲバンドル｛
ＴＭＧＩリスト
｝
｝
｝
【００１３】
同じＱＣＩを有するサービスのジョイント・エンコードされた多重化ストリームの出力は固定ビット・レート（ＣＢＲ）サービスと同様であることが研究によって分かっている。図３は、ＣＢＲサービスの割り当てられたビット・レートとリアルタイム・ビット・レートとの間の関係を例示する概略図である。図３に示されているように、研究結果は、ＣＢＲのリアルタイム・ビット・レートは一定ではなく多少の変化を有するが、多重化利得をさらに提供することを示す。
【００１４】
図４は、４つのＣＢＲサービスの多重化利得を例示するシミュレーション・グラフである。図４に示されているように、４つのＣＢＲサービスの多重化利得は１６％に近づくことができる。５Ｍ帯域幅では、これは８００Ｋｂｐｓに相当する。本発明の発明者は、複数のＣＢＲサービスの多重化利得は、かなり大きいことが分かった。
【００１５】
したがって、発明者は以下のことが分かった。
【００１６】
１．多重化されるサービスが多いほど、高い利得が達成され得る。
【００１７】
２．インターネット・サービス・プロバイダ（ＩＳＰ）がそれぞれ異なるＱＣＩを有するサービスのために同じＱＣＩを有するサービスをジョイント・エンコードすることを選んだ場合、これはそれぞれ１つのＱＣＩごとに複数のジョイント・エンコードされたストリームを生成し、これらのストリームが一緒に多重化された時に多重化利得が生成される。
【００１８】
したがって、システム・キャパシティをさらに増大するためにそれぞれ異なるＱＣＩを有するサービスの統計多重化を実行するための進化型マルチメディア・ブロードキャスト・マルチキャスト・サービス・システムおよび方法が提供される。
【発明の概要】
【発明が解決しようとする課題】
【００１９】
本発明の目的は、システムの効率をさらに改善するために進化型マルチメディア・ブロードキャスト・マルチキャスト・サービス（ｅ−ＭＢＭＳ）システムにおいてそれぞれ異なるＱＣＩを有するサービスの効果的な統計多重化を実行することである。
【課題を解決するための手段】
【００２０】
本発明の一態様によれば、進化型マルチメディア・ブロードキャスト・マルチキャスト・サービス（ｅ−ＭＢＭＳ）システムにおいてそれぞれ異なるクオリティ・オブ・サービス・クラス識別子（ＱＣＩ）を有するサービスの統計多重化を実行するための方法であって、進化型ブロードキャスト・マルチキャスト・サービス・センタ（ｅＢＭ−ＳＣ）において、ｅ−ＭＢＭＳサービスのための統計多重化バンドルおよび統計多重化バンドルの情報を判定するステップを備え、統計多重化バンドルがそれぞれ異なるＱＣＩを有する複数のサービスによって構成され、同じＱＣＩを有するサービスが統計多重化バンドルにおいて統計多重化サブバンドルを構成し、統計多重化バンドルの情報が、各統計多重化サブバンドルのＱＣＩ、サービス・リストおよび集合バンドル・ビット・レート（ＡＢＢＲ）、ならびに統計多重化バンドルのＡＢＢＲを備え、さらに、ＭＢＭＳ協働エンティティ（ＭＣＥ）において、ｅＢＭ−ＳＣによって判定された統計多重化バンドルの情報に基づいて、および予め決められた基準によってＡＢＢＲバンドルを判定するステップと、同じＡＢＢＲバンドルに属する複数のサービスがそのＡＢＢＲバンドルに割り当てられた資源を共用するようにＡＢＢＲバンドルのサービスのための統計多重化スケジューリングを実行するステップとを備える方法が提供される。
【００２１】
好ましくは、ｅＢＭ−ＳＣは、以下の条件、すなわちサービスがビット・エラー・レートに関して同じ要件を有すること、によって統計多重化バンドルを判定する。
【００２２】
好ましくは、ＭＣＥは、以下の基準、すなわち、
１）サービスが同じ優先レベルを有すること、および／または、２）サービスが遅延に関して同じ要件を有すること、によってＡＢＢＲバンドルを判定する。
【００２３】
好ましくは、ｅＢＭ−ＳＣは、セッション開始メッセージによってゲートウェイを介してＭＣＥに統計多重化バンドルの情報を送信する。
【００２４】
好ましくは、ｅＢＭ−ＳＣは、既存の統計多重化バンドルに新しいサービスを追加し、かつ／または完了したサービスを既存の統計多重化バンドルから除去するように構成可能である。
【００２５】
好ましくは、サービスが追加または除去された場合、ｅＢＭ−ＳＣにおいて、統計多重化バンドルの情報が再判定され、ＭＣＥに送信され、ＭＣＥにおいて、ＡＢＢＲバンドルが再判定される。
【００２６】
好ましくは、ｅＢＭ−ＳＣは、セッション開始メッセージ／セッション停止メッセージによってサービスの追加／除去をＭＣＥに通知する。
【００２７】
好ましくは、ｅＢＭ−ＳＣは、ＭＣＥにセッション更新メッセージによって統計多重化バンドルの再判定された情報を送信する。
【００２８】
本発明の第２の態様によれば、進化型マルチメディア・ブロードキャスト・マルチキャスト・サービス（ｅ−ＭＢＭＳ）システムであって、ｅ−ＭＢＭＳサービスのための統計多重化バンドルおよび統計多重化バンドルの情報を判定するように構成された進化型ブロードキャスト・マルチキャスト・サービス・センタ（ｅＢＭ−ＳＣ）を備え、統計多重化バンドルがそれぞれ異なるＱＣＩを有する複数のサービスを備え、同じＱＣＩを有するサービスが統計多重化バンドルにおいて統計多重化サブバンドルを構成し、統計多重化バンドルの情報が、各統計多重化サブバンドルのＱＣＩ、サービス・リストおよび集合バンドル・ビット・レート（ＡＢＢＲ）、ならびに統計多重化バンドルのＡＢＢＲを備え、さらに、ｅＢＭ−ＳＣによって判定された統計多重化バンドルの情報に基づいて、および予め決められた基準によってＡＢＢＲバンドルを判定し、同じＡＢＢＲバンドルに属する複数のサービスがそのＡＢＢＲバンドルに割り当てられた資源を共用するようにＡＢＢＲバンドルのサービスのための統計多重化スケジューリングを実行するように構成されたＭＢＭＳ協働エンティティ（ＭＣＥ）を備える、進化型マルチメディア・ブロードキャスト・マルチキャスト・サービス（ｅ−ＭＢＭＳ）システムが提供される。
【００２９】
好ましくは、ｅＢＭ−ＳＣは、ｅ−ＭＢＭＳサービスの統計パラメータを取得するように構成されたパラメータ取得手段と、パラメータ取得手段によって取得された統計パラメータによって統計多重化バンドルおよび統計多重化バンドルの情報を判定するように構成された統計多重化バンドルおよび統計多重化バンドルの情報判定手段とを備える。
【００３０】
好ましくは、ｅＢＭ−ＳＣは、サービスのためのアプリケーション・エンコーダ間のレートの制御調整を実行するように構成されたエンコーダ調整手段をさらに備える。
【００３１】
好ましくは、ＭＣＥは、統計多重化サブバンドルのＱＣＩ、サービス・リストおよび集合バンドル・ビット・レート（ＡＢＢＲ）、ならびに統計多重化バンドルのＡＢＢＲを抽出するように構成されたパラメータ抽出手段と、パラメータ抽出手段によって抽出されたパラメータに基づいて、および予め決められた基準によってＡＢＢＲバンドルを判定し、同じＡＢＢＲバンドルに属する複数のサービスがそのＡＢＢＲバンドルに割り当てられた資源を共用するようにＡＢＢＲバンドルのサービスのための統計多重化スケジューリングを実行するように構成されたＡＢＢＲバンドル多重化手段とを備える。
【００３２】
好ましくは、ｅＢＭ−ＳＣは、以下の条件、すなわちサービスがビット・エラー・レートに関して同じ要件を有すること、によって統計多重化バンドルを判定する。
【００３３】
好ましくは、ＭＣＥは、以下の基準、すなわち、１）サービスが同じ優先レベルを有すること、および／または、２）サービスが遅延に関して同じ要件を有すること、によってＡＢＢＲバンドルを判定する。
【００３４】
好ましくは、ｅＢＭ−ＳＣは、セッション開始メッセージによってゲートウェイを介してＭＣＥに統計多重化バンドルの情報を送信し、ｅＢＭ−ＳＣは、ＭＣＥにセッション開始メッセージ／セッション停止メッセージによってサービスの追加／除去を通知し、かつ／または、ｅＢＭ−ＳＣは、セッション更新メッセージによってＭＣＥに統計多重化バンドルの再判定された情報を送信する。
【００３５】
好ましくは、ｅ−ＭＢＭＳシステムは、モバイルＴＶシステムである。
【００３６】
本発明の解決策を使用することにより、それぞれ異なるＱＣＩを有するサービスの間で資源を共用してシステム・キャパシティをさらに増大することができる。
【図面の簡単な説明】
【００３７】
本発明の上記のおよび他の目的、特徴および利点は、添付の図面と共に本発明の非制限的な実施形態の以下の詳細な説明を参照することによってより明らかになるであろう。
【図１】同じＱＣＩを有するサービスの統計多重化を実行するための既存の進化型マルチメディア・ブロードキャスト・マルチキャスト・サービス（ｅ−ＭＢＭＳ）システムの概略図である。
【図２】同じＱＣＩを有するサービスの統計多重化を実行するための既存の方法の概略図である。
【図３】ＣＢＲサービスの割り当てられたビット・レートとリアルタイム・ビット・レートとの間の関係を例示する概略図である。
【図４】複数のＣＢＲサービスの多重化利得を例示するシミュレーション・グラフである。
【図５】本発明によるそれぞれ異なるＱＣＩを有するサービスの統計多重化を実行するためのｅ−ＭＢＭＳシステムの概略ブロック図である。
【図６】本発明によるそれぞれ異なるＱＣＩを有するサービスの統計多重化を実行するためのｅ−ＭＢＭＳシステムの一実施形態を例示する図である。
【図７】本発明による同じＱＣＩを有するサービスの統計多重化を実行するための方法の概略図である。
【発明を実施するための形態】
【００３８】
次に、本発明の実施形態が添付の図面を参照しながら詳細に説明される。以下の説明では、いくつかの特定の実施形態は、説明の目的のためだけに使用され、本発明に対する限定と解釈されるのではなく、単に本発明の実施例として解釈されるものとする。概略図は、既存のシステムとの違いを例示するだけであり、本発明のあいまいな理解を回避するために従来の構造または構成を省略することが指摘される必要がある。
【００３９】
図５は、本発明によるそれぞれ異なるＱＣＩを有するサービスの統計多重化を実行するためのｅ−ＭＢＭＳシステムの概略ブロック図を例示する。
【００４０】
図５に示されているように、ｅ−ＭＢＭＳシステムは、コンテンツ・プロバイダ（エンコーダを有する）、進化型ブロードキャスト・マルチキャスト・サービス・センタ（ｅＢＭ−ＳＣ）１１０、ＭＣＥ１２０および基地局（ｅＮＢ）などを備える。
【００４１】
本発明によるｅ−ＭＢＭＳシステムは、確かに、ｅ−ＭＢＭＳシステムの既存の機能を達成するために、ＰＤＮゲートウェイ、ｅ−ＭＢＭＳゲートウェイ、ユーザ機器（ＵＥ）など、既存のｅ−ＭＢＭＳシステムに含まれる構成要素をさらに備える。ここでは、図５は、本発明を不明瞭にすることを回避するために、本発明の機能に関係する構成要素を示すだけである。
【００４２】
示された構成要素はまた、既存のｅ−ＭＢＭＳシステムの機能を達成することに加えて、システムの効率を改善するためにサービスのさらなる統計多重化を実行することができる。
【００４３】
エンコーダは、コンテンツ・プロバイダ・サーバからコンテンツを受信してエンコードし、エンコードされたコンテンツをｅＢＭ−ＳＣ１１０に提供する。
【００４４】
ｅＢＭ−ＳＣ１１０は、エンコードされたｅ−ＭＢＭＳコンテンツを送受信する。
【００４５】
本発明の一態様によれば、ｅＢＭ−ＳＣ１１０はサービスの情報を知ることができるので、ｅＢＭ−ＳＣ１１０は、ｅＢＭ−ＳＣ機能を従来の技法で実行することを除いて、統計多重化の構成をさらに実行する。例えば、モバイルＴＶの場合には、ｅＢＭ−ＳＣ１１０は、必要とされるＴＶチャネル組合せの情報を知ることができる。例えば、ｅＢＭ−ＳＣ１１０は、サービス・エリアを知ることができ、ユーザ・サービス・ストリームの統計特徴、例えば、コーディングが固定ビットレート（ＣＢＲ）であるか可変ビット・レート（ＶＢＲ）であるか、およびエンコーダがＭＰＥＧ４であるかＨ．２６４であるかを知り、場合によっては、制御することができる。
【００４６】
図６は、本発明によるそれぞれ異なるＱＣＩを有するサービスの統計多重化を実行するためのｅ−ＭＢＭＳシステムの一実施形態を例示する。
【００４７】
本発明の一態様によれば、ｅＢＭ−ＳＣ１１０は、パラメータ取得手段１１０１、統計多重化バンドルおよび統計多重化バンドルの情報判定手段１１０２の情報を備える。前述のようなパラメータ取得手段１１０１は、サービスの統計パラメータを取得し、それによってサービス組合せの情報を取得するために使用され、統計多重化バンドルおよび統計多重化バンドルの情報判定手段１１０２の情報は、パラメータ取得手段によって取得されたパラメータによって統計多重化バンドルおよび統計多重化バンドルの情報を判定するために使用される。
【００４８】
判定された統計多重化バンドルは、それぞれ異なるＱＣＩを有するサービスを備え、一方、同じＱＣＩを有するサービスは、統計多重化サブバンドルを構成する。統計多重化バンドルの情報は、各統計多重化サブバンドルのＱＣＩ、サービス・リストおよびＡＢＢＲ、ならびに統計多重化バンドルのＡＢＢＲを含んでよい。サービス・リストは、例えば一時的モバイル・グループ識別（ＴＭＧＩ）のリストによって表される。ｅＢＭ−ＳＣ１１０は、ｅ−ＭＢＭＳゲートウェイを介してＭＣＥ１２０に情報を送信する。
【００４９】
本発明の一態様によれば、ｅＢＭ−ＳＣ１１０は、エンコーダがＶＢＲサービス・トラフィックを生成することができるが、集合ビット・レートが一定のままであることができるようにストリーム・サービスのためのアプリケーション・エンコーダ間のレートの制御調整を実行するためのエンコーダ調整手段１１０３をさらに含んでよい。
【００５０】
ＭＣＥ１２０は、ｅＢＭ−ＳＣ１１０から送信された統計多重化バンドルの情報によってＡＢＢＲバンドルを判定し、同じＡＢＢＲバンドル内のそれぞれ異なるサービスの統計多重化を達成するためにＡＢＢＲバンドルのサービスのための統計多重化スケジューリングを実行する、すなわち、それぞれ異なるサービスが資源を共用する。最後に、ｅＮｏｄｅＢは、ユーザの興味があるサービスをユーザ機器（ＵＥ）に提供する。
【００５１】
本発明の一態様によれば、ＭＣＥ１２０は、パラメータ抽出手段１２０１およびＡＢＢＲバンドル多重化手段１２０２を含んでよい。パラメータ抽出手段１２０１は、各統計多重化サブバンドルのＱＣＩ、サービス・リストおよびＡＢＢＲ、ならびに統計多重化バンドルのＡＢＢＲなど、ｅＢＭ−ＳＣ１１０から送信された統計多重化バンドルの情報を抽出するように構成される。ＡＢＢＲバンドル多重化手段１２０２は、パラメータ抽出手段によって抽出されたパラメータに基づいて、および予め決められた基準によってＡＢＢＲバンドルを判定するように構成され、資源利用の高い効率を達成するために同じＡＢＢＲバンドルに属するサービスを多重化する。
【００５２】
以下では、本発明による統計多重化方法が図７を参照しながら詳細に説明される。
【００５３】
図７は、本発明による図５に示されているｅ−ＭＢＭＳシステムにおいて統計多重化動作を実行する概略図を例示する。
【００５４】
最初に、ｅＢＭ−ＳＣ１１０は、統計多重化バンドルおよび統計多重化バンドルの情報判定手段の情報を使用することにより、およびパラメータ取得手段によって取得されたサービスの統計パラメータによって統計多重化バンドルおよび統計多重化バンドルの情報を判定する。例えば、ｅＢＭ−ＳＣ１１０は、同じビット・エラー・レートを有するサービスが統計多重化バンドルを構成することができるようにすることができる。
【００５５】
統計多重化バンドルが判定された後に、ｅＢＭ−ＳＣ１１０は、サブバンドルであるべきバンドル内の同じＱＣＩを有するサービスを判定し、利用可能な帯域幅、顧客満足を満たすために必要とされるサービスのビット・レートなどを含むサービス・デプロイメントの要件によってサブバンドルのＡＢＢＲＱＣＩ（統計多重化サブバンドルのＡＢＢＲ）および全統計多重化バンドルのＡＢＢＲバンドルを判定する。
【００５６】
次いで、ｅＢＭ−ＳＣ１１０は、エンコーダを構成する。エンコーダは、統計多重化サブバンドルのサービスの出力ビット・レートの合計がＡＢＢＲＱＣＩにほぼ等しく、統計多重化バンドルのすべてのサービスの出力ビット・レートの合計がＡＢＢＲバンドルにほぼ等しいように、ジョイント・エンコーディング・アルゴリズムによってサービスの出力ビット・レートを制御する。特定のジョイント・エンコーディング・アルゴリズムは、既存のジョイント・エンコーディング技法を利用することができる。
【００５７】
ｅＢＭ−ＳＣ１１０によって判定された統計多重化バンドルの情報は、サービスごとにセッション開始メッセージを介してＭＣＥ１２０に送信されることが可能である。
【００５８】
本発明による統計多重化バンドルの情報のシグナリング構造は、以下の通りである。
セッション開始｛
バンドルＩＤリスト｛
ＡＢＢＲバンドル
ＱＣＩリスト｛
ＡＢＢＲＱＣＩ
ＴＭＧＩリスト
｝
｝
｝
セッション更新｛
バンドルＩＤリスト｛
ＡＢＢＲバンドル
ＱＣＩリスト｛
ＡＢＢＲＱＣＩ
ＴＭＧＩリスト
｝
｝
｝
【００５９】
ｅＢＭ−ＳＣ１１０は、統計多重化バンドルに新しいサービスを追加することができ、完了したサービスをバンドルから除去することもできる。ｅＢＭ−ＳＣ１１０がサービスを追加／除去した時は、ＭＣＥ１２０は、例えばセッション開始メッセージ／セッション停止メッセージを介して、通知されることが可能である。統計多重化バンドルが変わった時、例えば、新しいサービスが追加された時、または完了したサービスが除去された時は、ｅＢＭ−ＳＣ１１０は、統計多重化バンドルおよび統計多重化バンドルの情報を再判定する必要がある。情報は、セッション更新メッセージを介してＭＣＥ１２０に送信されてよく、ＭＣＥ１２０は統計多重化バンドルの新しい情報によってスケジューリングを同時に実行することができ、これは、以下の簡単な機構、例えば、セッション更新メッセージまたは資源基準割当てメッセージ内に次のスケジューリング間隔を示すタイムスタンプを担持することによって実行されてよい。
【００６０】
ＭＣＥ１２０は、ｅＢＭ−ＳＣ１１０から送信された統計多重化バンドルの情報に基づいて、および予め決められた基準によってＡＢＢＲバンドルを判定し、判定されたＡＢＢＲバンドルは、複数の統計多重化サブバンドルを備える。ＭＣＥ１２０は、判定されたＡＢＢＲバンドルに含まれた統計多重化サブバンドルのＡＢＢＲＱＣＩおよび全統計多重化バンドルのＡＢＢＲバンドルに基づいてＡＢＢＲバンドル内のサービスのための資源割当てを実行する。同じＡＢＢＲバンドルに属するサービスは、そのバンドルに割り当てられた資源を共用する。それぞれ異なるサービスは、ＡＢＢＲバンドルの資源割当て方式に基づいてスケジュールされる、すなわち多重化される。
【００６１】
例えば、ＭＣＥ１２０は、以下の基準によってＡＢＢＲバンドルを判定することができる。
【００６２】
１．サービスが同じ優先レベルを有すること、および／または、
【００６３】
２．サービスが遅延に関して同じ要件を有すること。
【００６４】
以下の説明は、既存の技法に関して議論された状況を例として取り上げることにより行われる。基準は、サービスが同じ優先レベルを有することと仮定する。
【００６５】
サービス・ストリーム１（ＱＣＩ１）、サービス・ストリーム２（ＱＣＩ１）、サービス・ストリーム３（ＱＣＩ２）、サービス・ストリーム４（ＱＣＩ３）およびサービス・ストリーム５（ＱＣＩ４）を含む上記の場合では、同じＱＣＩ、したがって同じ優先レベルを有するサービスは、同じＭＣＨ上で多重化される、すなわち、１つの統計多重化サブバンドル内のサービスは、同じＭＣＨ上で多重化され、ＭＣＥ１２０は、対応する統計多重化サブバンドルのＱＣＩおよび集合バンドル・ビット・レート、すなわちＡＢＢＲＱＣＩによって資源を割り当てる。例えば、１つのＱＣＩの対応する統計多重化サブバンドルの集合バンドル・ビット・レート、すなわちＡＢＢＲＱＣＩは、６００Ｋｂｐｓであり、ＭＣＥは６００Ｋｂｐｓの資源を割り当てる。
【００６６】
ＭＣＨによって割り当てられた資源が２つのＱＣＩに対応する統計多重化サブバンドルのＡＢＢＲＱＣＩの合計である時は、ＭＣＥは、指定された基準によって、同じＭＣＨ上でそれぞれ異なるＱＣＩおよび同じ優先レベルを有するサービスをさらに多重化する。
【００６７】
例えば、サービス・ストリーム４（ＱＣＩ３）およびサービス・ストリーム５（ＱＣＩ４）は同じ優先レベルを有するが、それぞれ異なるＱＣＩを有すると仮定する。その場合、ＭＣＥ１２０は、サービス・ストリーム４およびサービス・ストリーム５の優先レベルが同じであると検出した後に、図７に示されているように同じＭＣＨ３上にサービス・ストリーム４およびサービス・ストリーム５を割り当て、（ＡＢＢＲＱＣＩ３＋ＡＢＢＲＱＣＩ４）の資源を割り当てる。
【００６８】
その上に、ＭＣＥ１２０は、さらに最適化されることが可能である。サービスの多重化利得は、１つのサービスの増加ごとに増大し、特定の増加は、ＡＢＢＲバンドルがその間参照され得る長期の統計およびサービス・モデルの分析に基づいて取得されることが可能である。
【００６９】
簡単なアルゴリズムは、
【数１】
2013502099.tif 000003
であり、
ここで、δは、本発明によるそれぞれ異なるＱＣＩを有するサービスのバンドルを多重化するための方法によって取得されるさらなる多重化利得である。
【００７０】
例えば、δ＝５％の場合は、ＭＣＥはＭＣＨ３に（ＡＢＢＲＱＣＩ３＋ＡＢＢＲＱＣＩ４）ｘ０．９５を割り当てることができる。
【００７１】
そのような推定は、あまり正確ではなく、補償のためにある一定のマージンが適切に追加されてよい。
【００７２】
確かに、ＭＣＥ１２０は、ＡＢＢＲバンドルが資源割当て基準のために使用される時は、すべてのサービス・ストリームを同じＭＣＨにマッピングすることもできる。ＭＣＥは様々なベンダによって開発されるが、資源割当ておよびチャネル割当てアルゴリズムは、内部アルゴリズムである。したがって、ＭＣＥは、ベンダによって設定されたアルゴリズムによって、資源割当ておよびチャネル割当てを実行し、サービスのための統計多重化スケジューリングを実行する。
【００７３】
図４は、４つのＣＢＲサービスの多重化利得を例示するシミュレーション・グラフである。
【００７４】
図４から、本発明による４つのそれぞれ異なるＱＣＩを有するＣＢＲサービスの統計多重化を実行するための方法は、ほぼ１６％の利得を取得する、すなわち資源の消費を１６％低減することができることが分かる。確かに、本発明によって達成される統計多重化利得は、多重化されるサービスの数、サービス・データ、チャネル条件などで変わる。
【００７５】
本発明によれば、それぞれ異なるＱＣＩを有するサービスの統計多重化を実行することは、さらに多重化利得をもたらし、資源の消費を低減する。
【００７６】
上記で説明された実施形態は、例示の目的のために使用されるだけであり、本発明の範囲を限定するためではない。本発明の範囲および趣旨から逸脱することなくこれらの実施形態に対して形および詳細の点で様々な修正および変更が行われ得ることが当業者によって理解されるべきである。本発明の範囲は、添付の特許請求の範囲の請求項およびそれらの同等物によって定義される。
【図１】
2013502099.tif 000004
【図２】
2013502099.tif 000005
【図３】
2013502099.tif 000006
【図４】
2013502099.tif 000007
【図５】
2013502099.tif 000008
【図６】
2013502099.tif 000009
【図７】
2013502099.tif 000010
【国際調査報告】
2013502099.tif 000011
2013502099.tif 000012
2013502099.tif 000013
2013502099.tif 000014